(57)【要約】      （修正有）【課題】車椅子ドライバが自ら給油するためのガソリン自動給油機の設置等の合理的な配慮がないにもかかわらず、人的サポートが必要であることを確実にスタンドの従業員に報知する方法を提供する。【解決手段】障害者搭乗車両２２に搭載したリモコン型発信機２１と、ガソリンスタンド１１の建屋外に設置した受信機１７と、該受信機に接続され、かつガソリンスタンドの建屋内に設置したパトライト（登録商標）１８とを備え、障害者等がガソリンスタンドに入庫する際に前記発信機を操作して前記受信機に送信することにより、受信機を介して建屋内に設置したパトライト（登録商標）を点灯させて、障害者搭乗車両が入庫したことを建屋内のサービススタッフに報知する。【選択図】図１
2010143500.tif 000002
【特許請求の範囲】
【請求項１】
障害者搭乗車両に搭載したリモコン型発信機と、ガソリンスタンドの建屋外に設置した受信機と、該受信機に接続され、かつガソリンスタンドの建屋内に設置したパトライトとを備え、
障害者等がガソリンスタンドに入庫する際に前記発信機を操作して前記受信機に送信することにより、
受信機を介して建屋内に設置したパトライトを点灯させて、障害者搭乗車両が入庫したことを建屋内のサービススタッフに報知するようにしたことを特徴とする障害者搭乗車両の入庫報知装置。
【請求項２】
前記リモコン型発信機が、赤外線リモコンであることを特徴とする請求項１記載の障害者搭乗車両の入庫報知装置。
【請求項３】
前記ガソリンスタンドの建屋外に設置した受信機が、車道側に設置した支柱の上部に取り付けられていることを特徴とする請求項１記載の障害者搭乗車両の入庫報知装置。
【発明の詳細な説明】
【技術分野】
【０００１】
この発明は、セルフ給油型のガソリンスタンド当において、障害者搭乗車両の入庫を報知できるようにした障害者搭乗車両の入庫報知装置に関するものである。
【背景技術】
【０００２】
近年セルフ給油型のガソリンスタンドが急速に増加し、移動をもっぱら車に頼っている車椅子ドライバが困難に直面している。
すなわち、セルフ給油型のガソリンスタンドでの給油は、文字通り利用者自身が行なうことになっている。しかし、構造においても、設備面においても車椅子ドライバが自ら給油するための合理的な配慮はほとんどなされておらず、給油は不可能である。
【０００３】
そのための対応として現在採用されているのは、せいぜい当該セルフ給油型のガソリンスタンドが人的サポートを行なうスタンドである旨の看板の設置のみであって、このような看板の設置だけでは解決に程遠いのが実情であった。
とりわけ、人的サポートが必要であることをスタンドの従業員に報知する方法としてはハザードランプの点滅程度であって、人的サポートが必要であることがスタンドの従業員に確実に伝達されないという問題が残されている。
【０００４】
他方、米国特許第６０８７９５４号明細書（特許文献１参照）には、障害者がガソリン自動販売機を利用できるようにするシステムが示されている。
すなわち、給油に関する種々のデータを格納したトランスポンダを車両それ自体の中に取付け、または身体障害者が例えば、車椅子や盲人用杖の上に取付けて携行することができるようにし、また普通のトランシーバをガソリン自動販売機（ガソリン・ポンプとして知られる）の傍に配置し、トランスポンダがトランシーバの所定の距離内に来た時、トランシーバはトランスポンダから受信した記憶データの関数である信号を発生する。
この信号をＣＰＵまたはコンビユータに送り、ガソリン自動販売機を動作させるための所定の制御信号を発生する、というものである。
【特許文献１】米国特許第６０８７９５４号明細書
【発明の開示】
【発明が解決しようとする課題】
【０００５】
しかしながら、米国特許第６０８７９５４号明細書（特許文献１参照）の発明は、車椅子ドライバが自動給油できるようにしたガソリン自動販売機を前提としており、このようなガソリン自動販売機の普及はコストがかかって実現性に乏しく、もし普及するとしても近い将来の実現は望むべくもない。
【０００６】
そこでこの発明の解決しようとする問題点は、車椅子ドライバが自ら給油するためのガソリン自動給油機の設置等の合理的な配慮がないにもかかわらず、人的サポートが必要であることを確実にスタンドの従業員に報知する方法がない点である。
【課題を解決するための手段】
【０００７】
すなわちこの発明の障害者搭乗車両の入庫報知装置は、障害者搭乗車両に搭載したリモコン型発信機と、ガソリンスタンドの建屋外に設置した受信機と、該受信機に接続され、かつガソリンスタンドの建屋内に設置したパトライトとを備え、
障害者等がガソリンスタンドに入庫する際に前記発信機を操作して前記受信機に送信することにより、
受信機を介して建屋内に設置したパトライトを点灯させて、障害者搭乗車両が入庫したことを建屋内のサービススタッフに報知するようにしたことを特徴とするものである。
【０００８】
この発明の障害者搭乗車両の入庫報知装置は、前記リモコン型発信機が、赤外線リモコンであることをも特徴とするものである。
【０００９】
この発明の障害者搭乗車両の入庫報知装置は、前記ガソリンスタンドの建屋外に設置した受信機が、車道側に設置した支柱の上部に取り付けられていることをも特徴とするものである。
【発明の効果】
【００１０】
この発明に寄れば、セルフ給油型のガソリンスタンド等において、車椅子ドライバが自ら給油するためのガソリン自動給油機の設置等の合理的な配慮がない場合であっても、障害者搭乗車両側からの信号の送信により、人的サポートが必要であることを積極的かつ確実にスタンドの従業員に報知することができるようになった。
【発明を実施するための最良の形態】
【００１１】
障害者搭乗車両側からの信号の送信により、人的サポートが必要であることを積極的かつ確実にスタンドの従業員に報知するという目的を、最小の部材で、ガソリン自動給油機の設置やシステムの複雑化を伴わないで実現した。
【実施例１】
【００１２】
図１はこの発明の障害者搭乗車両の入庫報知装置の１実施例を示す概略説明図であって、１１は所定の敷地を備えたセルフ給油型のガソリンスタンド、１２は事務室等の建屋、１３は複数台設置されたガソリン給油機、１４は洗車装置、そして１５はガソリンスタンド１１の建屋外の車道側に立設した支柱１６に設置した屋外看板で、この屋外看板１５には基板ユニットからなる受信機１７が内蔵させてある。
【００１３】
また、１８は前記事務室等の建屋１２内の適所、例えばドアの近傍等に設置されたパトライトであり、前記ガソリンスタンドの建屋外に設置した受信機１７に接続されて受信した信号に応じて点滅するようになっている。
したがって、ガソリンスタンド１１のサービススタッフは、このパトライト１８の点滅によって障害者搭乗車両がガソリンスタンド１１に接近しているか、あるいは入庫していることを視認することができるので、障害者搭乗車両に対する入庫時の案内や給油等のサービスを迅速かつ的確に行うことができる。
【００１４】
図２はこの発明の障害者搭乗車両の入庫報知装置を構成するリモコン型発信機を示す概略図である。
図２において、２１はこの発明の障害者搭乗車両の入庫報知装置を構成するリモコン型発信機で、このリモコン型発信機２１は障害者搭乗車両２２の、例えば運転席の近傍−ダッシュボードやステアリング−等に設置されていて、運転者や同乗者等が簡単に操作することができるようになっている。
【００１５】
前記リモコン型発信機２１としては、４チェンネル赤外線リモコン等であることが望ましい。この４チェンネル赤外線リモコンは、４チャンネルのリレー出力を装備した赤外線方式のリモコンユニットで、それぞれのリレーは送信機（リモコン）ボタンを押している間だけＯＮになるモーメンタリーモードと、ボタンを押すたびにＯＮ／ＯＦＦが入れ替わるオルタネートモードとを個別に設定することができる。また、アクティブ「Ｌ」の信号を出力する端子も１０系統装備しているので、幅広い応用に利用することができる。
【００１６】
したがって、車椅子ドライバ等がセルフ給油型のガソリンスタンド１１に来店してガソリンを入れようとする場合、車椅子ドライバ等は車内に設置したリモコン型発信機２１をＯＮ操作するだけでよい。
すなわち、その信号を屋外看板１５に内蔵させた基板ユニットからなる受信機１７が受信し、また該受信機１７から当該信号に基いて来店を報知する信号をパトライト１８に送信するので、リモコン型発信機２１のＯＮ操作によってパトライト１８が点滅し、サービススタッフに障害者搭乗車両２２の来店を迅速に知らせることができる。
【００１７】
前記パトライト１８の点滅によって障害者搭乗車両２２の来店を知ったサービススタッフは、障害者搭乗車両２２がガソリンスタンド１１に接近しているか、あるいは入庫していることを明瞭に把握することができるので、障害者搭乗車両２２に対する入庫時の案内やガソリン給油機１３による給油等のサービスを、車椅子ドライバ等に何らの負担をかけることなく迅速かつ的確に行うことが可能となる。
【産業上の利用可能性】
【００１８】
この発明の障害者搭乗車両の入庫報知装置は、セルフ給油型のガソリンスタンドのみならず通常のガソリンスタンドにも設置することができ、また本発明の趣旨を変えない限りにおいて、ファミリーレストラン、ホームセンターその他の障害者搭乗車両（車椅子マークの設置場所）を受け入れる種々の店舗に利用することができる。
さらに、利用者としてはなんら車椅子ドライバに限定されるものではなく、車両を降りて給油作業等をすることが困難な高齢者等が利用することも可能であることはいうまでもない。
【図面の簡単な説明】
【００１９】
【図１】この発明の障害者搭乗車両の入庫報知装置の１実施例を示す概略説明図である。
【図２】この発明の障害者搭乗車両の入庫報知装置を構成するリモコン型発信機を示す概略図である。
【符号の説明】
【００２０】
１１  セルフ給油型のガソリンスタンド
１２  事務室等の建屋
１３  ガソリン給油機
１４  洗車装置
１５  屋外看板
１６  支柱
１７  受信機
１８  パトライト
２１  リモコン型発信機
２２  障害者搭乗車両
【図１】
2010143500.tif 000003
【図２】
2010143500.tif 000004
【手続補正書】
【提出日】平成20年12月25日(2008.12.25)
【手続補正１】
【補正対象書類名】明細書
【補正対象項目名】０００４
【補正方法】変更
【補正の内容】
【０００４】
他方、米国特許第６０８７９５４号明細書（特許文献１参照）には、障害者がガソリン自動販売機を利用できるようにするシステムが示されている。
すなわち、給油に関する種々のデータを格納したトランスポンダを車両それ自体の中に取付け、または身体障害者が例えば、車椅子や盲人用杖の上に取付けて携行することができるようにし、また普通のトランシーバをガソリン自動販売機（ガソリン・ポンプとして知られる）の傍に配置し、トランスポンダがトランシーバの所定の距離内に来た時、トランシーバはトランスポンダから受信した記憶データの関数である信号を発生する。
この信号をＣＰＵまたはコンピユータに送り、ガソリン自動販売機を動作させるための所定の制御信号を発生する、というものである。